(57)【要約】
【課題】噴出された蒸気量および蒸気温度が調整でき、水を無駄にすることがなく、且つ流出した水や蒸気が使用者を焼けどすることを回避することもでき、使用態様の多様性を広げることもできる。
【解決手段】主に、水箱と、ポンプと、発熱体と、交流電源回路と、マイクロプロセッサと、機能指示装置と、から構成された蒸気洗浄機の蒸気調整構造であって、前記水箱はポンプに接続し、ポンプが発熱体に接続し、且つ前記ポンプと発熱体とは、マイクロプロセッサに制御され、交流電源回路により電源が供給され、なお、マイクロプロセッサには指示をマイクロプロセッサに入力するための機能指示装置が接続しており、これにより、マイクロプロセッサからのポンプに対する駆動周期および回転速度の指令を変更することができ、ひいては蒸気量と蒸気温度とを調整することができる。
【選択図】　　図１
0003099885.tif 000002
【実用新案登録請求の範囲】
【請求項１】
主に、水箱と、ポンプと、発熱体と、交流電源回路と、マイクロプロセッサと、機能指示装置と、から構成された蒸気洗浄機の蒸気調整構造であって、
前記水箱はポンプに接続し、ポンプが発熱体に接続し、且つ前記ポンプと発熱体とは、マイクロプロセッサに制御され、交流電源回路により電源が供給され、なお、マイクロプロセッサには指示をマイクロプロセッサに入力するための機能指示装置が接続しており、これにより、マイクロプロセッサからのポンプに対する駆動周期および回転速度の指令を変更することができ、ひいては蒸気量と蒸気温度とを調整することができることを特徴とする蒸気洗浄機の蒸気調整構造。
【請求項２】
主に、水箱と、ポンプと、発熱体と、交流電源回路と、温度センサと、マイクロプロセッサと、機能指示装置と、から構成された蒸気洗浄機の蒸気調整構造であって、
前記水箱は水入り口分配器でポンプに接続し、ポンプが発熱体に接続し、且つ水入り口分配器には外接容器が接続しており、なお、前記ポンプと発熱体とは、マイクロプロセッサに制御され、水入り口分配器とマイクロプロセッサの間には温度センサが設けており、交流電源回路により電源が供給され、なお、マイクロプロセッサには指示をマイクロプロセッサに入力するための機能指示装置が接続しており、
これにより、水入り口分配器に接続された外接容器内の水を継続に加熱し、外接容器内の水を恒温状態に保持できることを特徴とする蒸気洗浄機の蒸気調整構造。
【請求項３】
該ポンプと発熱体の間に及び前記発熱体とノズルの間には、全て分配器が設けており、前記分配器は圧力逃し器を介して水箱に接続し、そうすると、圧力逃し器から逃した水や蒸気が水箱へ回流することができることを特徴とする請求項１又は請求項２に記載の蒸気洗浄機の蒸気調整構造。
【考案の詳細な説明】
【技術分野】
【０００１】
この考案は蒸気洗浄機の蒸気調整構造に係り、特に駆動周期の異なったトリガ時間によってポンプの作動速度を変化し、これにより、噴出する蒸気量を調整できるようになり、且つ蒸気の温度も調整できるようになり、適用性および実用性を向上した蒸気洗浄機の蒸気調整構造に関する。
【背景技術】
【０００２】
品物を洗浄するときには、一般にはブラシや毛布やモップなどを水に付けて洗浄を実施するが、この方法によれば、ホコリや汚れを除去できるが、殺菌効果がない。殺菌効果を欲しかったら、別に清潔剤または殺菌剤などを利用して洗浄しなければならない。しかしながら、これらの清潔剤または殺菌剤は使用者の皮膚に傷害し易く、また、清潔剤または殺菌剤で洗浄した廃水が河川および土壌を汚染する。
【０００３】
だから、ある業者は蒸気洗浄機を開発した。この蒸気洗浄機の構造は、図４と図５に示すように、一本体８の内部にはろ過器８２に接続された水箱８１が設けており、且つろ過器８２の前端にはポンプ８３が接続しており、前記ポンプ８３の出力端には気化器８４が設けており、前記ポンプ８３と気化器８４の間には圧力逃し器８５が別に設けている。
【０００４】
上記ような構成の蒸気洗浄機の使用は、前記気化器８４を一定の温度に加熱した後、ポンプ８３を作動させ水箱８１内の水を吸い上げ、ろ過器８２でろ過してから気化器８４に入る。ここで、水箱８１内の水が加熱された気化器８４に流入したと、前記気化器８４の高温により水が加熱されて蒸気になり、使用者がこの高温な水蒸気を利用して品物を洗浄する。一方、前記気化器８４が故障し又は塞がれて水は流入できなくて蒸気になれない場合には、前記水流がポンプ８３と気化器８４の間に設けた圧力逃し装置８５を経由して逃し、これにより、内部の圧力が過大で損害されることを回避することができる。
【考案の開示】
【考案が解決しようとする課題】
【０００５】
しかしながら、上記のような構成を有する蒸気洗浄機により、水を加熱してなされた水蒸気によって品物を洗浄することができるが、実際の使用中に、その構造は次のような欠点があった。
【０００６】
（イ）上記構成におけるポンプは、起動されて水を吸い上げ又は停止するなどの単純な動作ができるが、ポンプの吸い上げ速度を調整することができないため、気化器を経由して噴出された蒸気量および蒸気温度が調整できなく、使用は不便だった。
【０００７】
（ロ）ポンプと気化器の間に設けた圧力逃し器は、気化器が故障し又は塞がれて発生した蒸気が噴出できないときには圧力を逃すことができるが、前記圧力逃し器から流出した水が回収できないため、水が無駄になるとともに、流出した水は気化器の高熱を吸収したので、使用者を焼けどしたことがあった。
【課題を解決するための手段】
【０００８】
上記欠点を解決するためになされた本願の請求項１は、主に、水箱と、ポンプと、発熱体と、交流電源回路と、マイクロプロセッサと、機能指示装置と、から構成された蒸気洗浄機の蒸気調整構造であって、前記水箱はポンプに接続し、ポンプが発熱体に接続し、且つ前記ポンプと発熱体とは、マイクロプロセッサに制御され、交流電源回路により電源が供給され、なお、マイクロプロセッサには指示をマイクロプロセッサに入力するための機能指示装置が接続しており、これにより、マイクロプロセッサからのポンプに対する駆動周期および回転速度の指令を変更することができ、ひいては蒸気量と蒸気温度とを調整することができることを特徴とする蒸気洗浄機の蒸気調整構造であることを要旨としている。
【０００９】
本願の請求項２では、主に、水箱と、ポンプと、発熱体と、交流電源回路と、温度センサと、マイクロプロセッサと、機能指示装置と、から構成された蒸気洗浄機の蒸気調整構造であって、前記水箱は水入り口分配器でポンプに接続し、ポンプが発熱体に接続し、且つ水入り口分配器には外接容器が接続しており、なお、前記ポンプと発熱体とは、マイクロプロセッサに制御され、水入り口分配器とマイクロプロセッサの間には温度センサが設けており、交流電源回路により電源が供給され、なお、マイクロプロセッサには指示をマイクロプロセッサに入力するための機能指示装置が接続しており、これにより、水入り口分配器に接続された外接容器内の水を継続に加熱し、外接容器内の水を恒温状態に保持できることを特徴とする蒸気洗浄機の蒸気調整構造であることを要旨としている。
【００１０】
本願の請求項３では、該ポンプと発熱体の間に及び前記発熱体とノズルの間には、全て分配器が設けており、前記分配器は圧力逃し器を介して水箱に接続し、そうすると、圧力逃し器から逃した水や蒸気が水箱へ回流することができることを特徴とする請求項１又は請求項２に記載の蒸気洗浄機の蒸気調整構造であることを要旨としている。
【考案の効果】
【００１１】
これは次のような効果がある。
（イ）ポンプのオン・オフの周期や頻度を変化でき、ひいては、噴出された蒸気量および蒸気温度が調整できるようになるため、全体の実用性は向上した。
【００１２】
（ロ）各圧力逃し器は水箱に接続したため、水流や蒸気流れが塞がれて流動できない場合には、前記圧力逃し器から流出した水や蒸気が水箱に回流できるので、水が無駄になることはなく、且つ流出した水や蒸気が使用者を焼けどすることを回避することもできる。
【００１３】
（ハ）別に外接容器に外接することができ、且つ温度センサも設けているため、外接容器内の水を循環し加熱して恒温状態に保持することができるので、使用態様の多様性を広げることができる。
【考案を実施するための最良の形態】
【００１４】
まず、図１を参照する。この考案は、水箱１から水入り口分配器１１と、Ａチャネルろ過器１２と、Ｂチャネルろ過器１３と、ポンプ２と、分配器２１と、発熱体３と、分配器３１と、ノズル３３と、が順序に接続され、前記分配器２１のもう一出口が水箱１と接続した一圧力逃し器２２に接続され、なお、前記分配器３１のもう一出口が水箱１と接続した一圧力逃し器３２に接続され、一方、発熱体３と交流電源回路４の間には過熱保護装置３４が設けており、また、前記水入り口分配器１１には、外接容器１１１および温度センサ５が接続しており、なお、前記ポンプ２と、発熱体３と、温度センサ５と、がマイクロプロセッサ６に制御され、前記マイクロプロセッサ６は交流電源回路４からの電源を受ける。
【００１５】
また、図２から図３を参照する。前記ポンプ２とマイクロプロセッサ６の間には駆動回路２３が接続しており、前記駆動回路２３は、主にトライアック２３１によりポンプ２の動作速度を制御する。前記発熱体３とマイクロプロセッサ６の間にも駆動回路３５が接続しており、前記駆動回路３５はリレー３５１により発熱体３の通電状態を制御する。前記交流電源回路４は交流電源を整流し安定化した後に成された直流電源をマイクロプロセッサ６に供給する。前記温度センサ５は、水入り口分配器１１での水温を測定して電圧値に転換し、且つコンパレータの入力電圧値と比較した後、一信号をマイクロプロセッサ６まで出力する。前記マイクロプロセッサ６は、入力した各信号を計算し判断した後、対応する部品に信号を出力し、且つ前記マイクロプロセッサ６に接続されたブザー６１は、信号を受けた後にアラームを発生する。また、前記マイクロプロセッサ６には機能指示装置７が接続しており、前記機能指示装置７は各機能ボタン７１を利用して信号をマイクロプロセッサ６に出力することができ、且つ機能ボタン７１を押して信号を出力すると同時に、前記機能指示装置７の指示ランプ７２も相応な光信号を発生して使用者を知らせる。
【００１６】
この考案の使用は、電源を入れると、前記ポンプ２は先に運転して発熱体３を水で満ちてから、ポンプ２を停止し、発熱体３が予定温度に加熱されると、前記ポンプ２は機能指示装置７の機能ボタン７１で入力した指示により、ノズル３３から噴出されるものの状態を、完全な蒸気またはお湯を含有する蒸気または完全なお湯から、何れかを選択し、また、各機能ボタン７１の指示により、マイクロプロセッサ６のトリガ周期を変化し、これに伴って、駆動回路２３のトライアック２３１がポンプ２をトリガして水を吸い上げる周期も変化され、ひいては発熱体３内に入れた水量も変化されて、ノズル３から噴出した蒸気量および蒸気温度も変化され、そうすると、蒸気噴出モード及び蒸気噴出量を多重に選択することができるため、実用性がもっと高くなる。
【００１７】
また、該ポンプ２と発熱体３の間に及び前記発熱体３とノズル３３の間には、全て分配器２１，３１が設けており、前記分配器２１，３１は圧力逃し器２２，３２を介して水箱１に接続し、そうすると、水流や蒸気流れが塞がれて流通できない場合には、水流や蒸気流れは圧力逃し器２２，３２から逃して水箱１へ回流することができる。
【００１８】
また、この考案の水箱１の水入り口分配器１１は、管路で外接容器１１１と接続しており、且つマイクロプロセッサ６との間には温度センサ５が接続しているため、使用者は水入り口分配器１１を湯船などの外接容器１１１に外接し、前記温度センサ５を利用して外接容器１１１内の水を恒温状態にし、これにより、使用者は風呂に入るか又はノズル３３から噴出した蒸気を利用してサウナを楽しむことができる。
【図面の簡単な説明】
【００１９】
【図１】この考案の構造の配置概略図である。
【図２】この考案の電子回路のブロック図である。
【図３】この考案の電子回路の概略図である。
【図４】従来のものの構造の概略図である。
【図５】従来のものの構造の配置概略図である。
【符号の説明】
【００２０】
１　　　　　水箱　　　　　　　　　
１１　　　　水入り口分配器
１１１　　　外接容器　　　　　　　
１２　　　　Ａチャネルろ過器
１３　　　　Ｂチャネルろ過器　　　
２　　　　　ポンプ
２１　　　　分配器　　　　　　　　
２２　　　　圧力逃し器
２３　　　　駆動回路　　　　　　　
２３１　　　トライアック
３　　　　　発熱体　　　　　　　　
３１　　　　分配器
３２　　　　圧力逃し器　　　　　　
３３　　　　ノズル
３４　　　　過熱保護装置　　　　　
３５　　　　駆動回路
３５１　　　リレー　　　　　　　　
４　　　　　交流電源回路
５　　　　　温度センサ　　　　　　
５１　　　　コンパレータ
６　　　　　マイクロプロセッサ　　
６１　　　　ブザー
７　　　　　機能指示装置　　　　　
７１　　　　機能ボタン
７２　　　　指示ランプ　　　　　　
８　　　　　本体
８１　　　　水箱　　　　　　　　　
８２　　　　ろ過器
８３　　　　ポンプ　　　　　　　　
８４　　　　気化器
８５　　　　圧力逃し装置
【図１】
0003099885.tif 000003
【図２】
0003099885.tif 000004
【図３】
0003099885.tif 000005
【図４】
0003099885.tif 000006
【図５】
0003099885.tif 000007